(57)【要約】【課題】複数の設定項目を設定する際の操作性を向上させる技術を提供する。【解決手段】設定値の自動設定を示す第１の設定を持つ第１の設定項目に対して設定値を自動的に設定するように制御する制御手段と、前記第１の設定項目又は第２の設定項目の設定値を変更する操作を受け付ける変更手段と、を備え、前記制御手段によって、前記第１の設定項目の設定値が自動的に設定された状態で、前記変更手段による前記第２の設定項目の設定値の変更が行われた場合、前記制御手段は、前記第１の設定項目を前記第１の設定に戻さないように制御することを特徴とする電子機器を提供する。【選択図】図３
2019071507.tif 000002
【特許請求の範囲】
【請求項１】
設定値の自動設定を示す第１の設定を持つ第１の設定項目に対して設定値を自動的に設定するように制御する制御手段と、
前記第１の設定項目又は第２の設定項目の設定値を変更する操作を受け付ける変更手段と、
を備え、
前記制御手段によって、前記第１の設定項目の設定値が自動的に設定された状態で、前記変更手段による前記第２の設定項目の設定値の変更が行われた場合、前記制御手段は、前記第１の設定項目を前記第１の設定に戻さないように制御する
ことを特徴とする電子機器。
【請求項２】
前記制御手段は、前記第１の設定項目の設定値が自動的に設定された状態で、前記変更手段による前記第２の設定項目の設定値の変更が行われていない場合には、前記第１の設定項目を前記第１の設定に戻すように制御する
ことを特徴とする請求項１に記載の電子機器。
【請求項３】
前記制御手段は、所定の指示に応じて、前記第１の設定項目の設定値を自動的に設定する
ことを特徴とする請求項１又は２に記載の電子機器。
【請求項４】
所定の指示を受け付ける受付手段をさらに有し、
前記制御手段は、前記所定の指示を受け付けたことに応じて前記第１の設定のされている設定項目に対して設定値を自動的に設定するように制御する
ことを特徴とする請求項１又は２に記載の電子機器。
【請求項５】
前記制御手段は、前記所定の指示を受付けてから前記所定の指示が解除されるまでの第１の期間に、前記変更手段による前記第２の設定項目の設定値の変更が行われた場合、前記第１の設定項目を前記第１の設定に戻さないようにし、前記第１の期間とは異なる第２の期間に、前記変更手段による前記第２の設定項目の設定値の変更が行われた場合、前記第１の設定項目を前記第１の設定に戻さないように制御する
ことを特徴とする請求項３又は４に記載の電子機器。
【請求項６】
前記制御手段は、前記第１の期間においては、前記第１の設定項目の設定として設定値を表示し、前記変更手段による前記第２の設定項目の設定値の変更が行われないまま、前記第２の期間になったことに応じて、前記第１の設定項目の設定として前記第１の設定であることを示す表示をするように制御する
ことを特徴とする請求項５に記載の電子機器。
【請求項７】
前記制御手段は、前記第１の設定項目の設定値が自動的に設定された状態で、前記変更手段による前記第２の設定項目の設定値の変更が行われていない場合に、前記所定の指示が解除されたことに応じて、前記第１の設定項目を前記第１の設定に戻すように制御する
ことを特徴とする請求項３乃至６のいずれか１項に記載の電子機器。
【請求項８】
前記所定の指示は、ＡＥロック指示である
ことを特徴とする請求項３乃至７のいずれか１項に記載の電子機器。
【請求項９】
前記所定の指示がされている
ことを特徴とする請求項３乃至８のいずれか１項に記載の電子機器。
【請求項１０】
前記第１の設定項目、前記第２の設定項目を含む複数の設定項目のうち、前記第１の設定をする設定手段をさらに有する
ことを特徴とする請求項１乃至９のいずれか１項に記載の電子機器。
【請求項１１】
前記第１の設定項目及び前記第２の設定項目は、撮像手段の露出制御に関する設定項目である
ことを特徴とする請求項１乃至１０のいずれか１項に記載の電子機器。
【請求項１２】
前記第１の設定項目及び前記第２の設定項目は、シャッター速度、絞り値、ＩＳＯ感度のいずれかを含む
ことを特徴とする請求項１１に記載の電子機器。
【請求項１３】
撮像手段をさらに有する
ことを特徴とする請求項１乃至１２のいずれか１項に記載の電子機器。
【請求項１４】
電子機器が実行する制御方法であって、
設定値の自動設定を示す第１の設定を持つ第１の設定項目に対して設定値を自動的に設定するように制御する制御工程と、
前記第１の設定項目又は第２の設定項目の設定値を変更する操作を受け付ける変更工程と、
を備え、
前記制御工程によって、前記第１の設定項目の設定値が自動的に設定された状態で、前記変更工程による前記第２の設定項目の設定値の変更が行われた場合、前記制御工程は、前記第１の設定項目を前記第１の設定に戻さないように制御する
を備えることを特徴とする制御方法。
【請求項１５】
コンピュータを、請求項１乃至１２のいずれか１項に記載の電子機器の各手段として機能させるためのプログラム。
【請求項１６】
コンピュータを、請求項１乃至１２のいずれか１項に記載の電子機器の各手段として機能させるためのプログラムを格納したコンピュータが読み取り可能な記憶媒体。
【発明の詳細な説明】
【技術分野】
【０００１】
本発明は、電子機器、制御方法、プログラム、及び記憶媒体に関する。
【背景技術】
【０００２】
特許文献１には、露出時間、絞り値及びＩＳＯ感度をそれぞれ独立して手動設定と自動設定のいずれかに切り換えることが可能なことが開示されている。
【先行技術文献】
【特許文献】
【０００３】
【特許文献１】特開２０１０−９３４７６号公報
【発明の概要】
【発明が解決しようとする課題】
【０００４】
特許文献１の方法では、露出時間、絞り値、ＩＳＯ感度を自動設定にするとそれぞれ適正露出になるように設定値が設定されるが、自動設定された値からユーザが設定値を変えたい場合には、各設定値を自動設定から手動設定へと切り替える必要がある。
【０００５】
本発明はこのような状況に鑑みてなされたものであり、複数の設定項目を設定する際の操作性を向上させる電子機器を提供することを目的とする。
【課題を解決するための手段】
【０００６】
上記課題を解決するために、本発明は、設定値の自動設定を示す第１の設定を持つ第１の設定項目に対して設定値を自動的に設定するように制御する制御手段と、前記第１の設定項目又は第２の設定項目の設定値を変更する操作を受け付ける変更手段と、を備え、前記制御手段によって、前記第１の設定項目の設定値が自動的に設定された状態で、前記変更手段による前記第２の設定項目の設定値の変更が行われた場合、前記制御手段は、前記第１の設定項目を前記第１の設定に戻さないように制御することを特徴とする電子機器を提供する。
【０００７】
なお、その他の本発明の特徴は、添付図面及び以下の発明を実施するための形態における記載によって更に明らかになるものである。
【発明の効果】
【０００８】
本発明によれば、複数の設定項目を設定する際の操作性を向上させることが可能となる。
【図面の簡単な説明】
【０００９】
【図１】（Ａ）デジタルカメラ１００の前面斜視図、（Ｂ）デジタルカメラ１００の背面斜視図。
【図２】デジタルカメラ１００の構成例を示すブロック図。
【図３】第１の実施形態に係る露出調整処理のフローチャート。
【図４】第２の実施形態に係る露出調整処理のフローチャート。
【図５】デジタルカメラ１００の表示画面例を示す図。
【発明を実施するための形態】
【００１０】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。また、別々の実施形態の中で説明されている特徴を適宜組み合せることも可能である。
【００１１】
［第１の実施形態］
図１（Ａ）は、電子機器（撮像制御装置）の一例であるデジタルカメラ１００の前面斜視図であり、図１（Ｂ）は、デジタルカメラ１００の背面斜視図である。図１（Ａ）及び（Ｂ）において、表示部２８は、画像や各種情報を表示する表示部である。表示部２８はタッチパネル７０ａと一体となっており、ユーザは表示部２８面上をタッチすることにより、直感的に表示部２８上に表示されるアイテムや被写体の位置を選択可能である。シャッターボタン６１は、撮影指示を行うための操作部である。モード切替スイッチ６０は、各種モードを切り替えるための操作部である。端子カバー４０は、デジタルカメラ１００と外部装置とを接続する接続ケーブルのためのコネクタ（不図示）を保護するカバーである。メイン電子ダイヤル７１は、回転操作部材であり、メイン電子ダイヤル７１を回すことで、シャッター速度や絞りなどの設定値の変更等が行える。電源スイッチ７２は、デジタルカメラ１００の電源のＯＮ及びＯＦＦを切り替える操作部材である。サブ電子ダイヤル７３は、選択枠の移動や画像送りなどを行う回転操作部材である。十字キー７４は、上キー７４ａ、下キー７４ｂ、左キー７４ｃ、右キー７４ｄをそれぞれ押し込み可能な４方向キーであり、押下した方向へとカーソル等を移動する指示が可能である。ＳＥＴボタン７５は、主に選択項目の決定などに用いられる押しボタンである。再生ボタン７９は、撮影モードと再生モードとを切り替える操作ボタンである。撮影モード中に再生ボタン７９を押下することでデジタルカメラ１００を再生モードに移行させ、記録媒体２００（後述）に記録された画像のうち最新の画像を表示部２８に表示させることができる。シャッターボタン６１、メイン電子ダイヤル７１、電源スイッチ７２、サブ電子ダイヤル７３、十字キー７４、ＳＥＴボタン７５、再生ボタン７９は、操作部７０に含まれる。ファインダ１６は、フォーカシングスクリーン１３（後述）を観察することで、レンズユニット１５０を通して得た被写体の光学像の焦点や構図の確認を行うための覗き込み型のファインダである。グリップ部９０は、ユーザがデジタルカメラ１００を構えた際に右手で握りやすい形状とした保持部である。
【００１２】
図２は、本実施形態によるデジタルカメラ１００の構成例を示すブロック図である。図２において、レンズユニット１５０は、撮影レンズを搭載するレンズユニットであり、交換可能である。
【００１３】
レンズ１０３は、通常は複数枚のレンズから構成されるが、ここでは簡略化して１枚のレンズのみで示している。通信端子６は、レンズユニット１５０がデジタルカメラ１００と通信を行うための通信端子である。通信端子１０は、デジタルカメラ１００がレンズユニット１５０と通信を行うための通信端子である。レンズユニット１５０は、この通信端子６，１０を介してシステム制御部５０と通信する。レンズユニット１５０は、レンズシステム制御回路４によって絞り駆動回路２を介して絞り１０２の制御を行い、ＡＦ駆動回路３を介してレンズ１０３の位置を変位させることで焦点を合わせる。
【００１４】
ＡＥセンサ１７は、レンズユニット１５０、クイックリターンミラー１２を介してフォーカシングスクリーン１３上に結像した被写体の輝度を測光する。
【００１５】
焦点検出部１１（ＡＦセンサ）は、クイックリターンミラー１２及びサブミラー（不図示）を介して入射する像を撮像し、システム制御部５０にデフォーカス量情報を出力する、位相差検出方式のＡＦセンサである。システム制御部５０は、デフォーカス量情報に基づいてレンズユニット１５０を制御し、位相差ＡＦを行う。なお、ＡＦの方式は、位相差ＡＦでなくてもよく、コントラストＡＦでもよい。また、位相差ＡＦは、焦点検出部１１を用いずに、撮像部２２の撮像面で検出されたデフォーカス量に基づいて行ってもよい（撮像面位相差ＡＦ）。
【００１６】
クイックリターンミラー１２は、露光、ライブビュー撮影、動画撮影の際にシステム制御部５０から指示されて、不図示のアクチュエータによりアップダウンされる。クイックリターンミラー１２は、レンズ１０３から入射した光束をファインダ１６側と撮像部２２側との間で切り替えるためのミラーである。クイックリターンミラー１２は、通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。またクイックリターンミラー１２は、その中央部が光の一部を透過できるようにハーフミラーとなっており、光束の一部を、焦点検出を行うための焦点検出部１１に入射するように透過させる。
【００１７】
ユーザは、ペンタプリズム１４とファインダ１６を介して、フォーカシングスクリーン１３上に結像した像を観察することで、レンズユニット１５０を通して得た被写体の光学像の焦点状態や構図の確認が可能となる。
【００１８】
シャッター１０１は、システム制御部５０の制御に従い、撮像部２２の露光時間を制御する。撮像部２２は、光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１９】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２０】
Ａ／Ｄ変換器２３からの出力データは、画像処理部２４及びメモリ制御部１５を介して、或いは、直接メモリ制御部１５を介して、メモリ３２に書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像及び音声を格納するのに十分な記憶容量を備えている。
【００２１】
また、メモリ３２は、画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダが実現し、スルー画像表示（ライブビュー表示）を行える。
【００２２】
不揮発性メモリ５６は、システム制御部５０によって電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２３】
システム制御部５０は、少なくとも１つのプロセッサーを内蔵し、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０は、メモリ３２、Ｄ／Ａ変換器１９、表示部２８等を制御することにより表示制御も行う。システムタイマー５３は、各種制御に用いる時間や、内蔵された時計の時間を計測する計時部である。
【００２４】
モード切替スイッチ６０、シャッターボタン６１、操作部７０は、システム制御部５０に各種の動作指示を入力するための操作部材である。モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、メニュー画面に含まれるこれらのモードのいずれかに直接切り替えられる。あるいは、モード切替スイッチ６０でメニュー画面に一旦切り換えた後に、メニュー画面に含まれるこれらのモードのいずれかに、他の操作部材を用いて切り替えるようにしてもよい。同様に、動画記録モードにも複数のモードが含まれていてもよい。
【００２５】
第１シャッタースイッチ６２は、デジタルカメラ１００に設けられたシャッターボタン６１の操作途中、いわゆる半押し（撮影準備指示）でＯＮとなり、第１シャッタースイッチ信号ＳＷ１を発生する。システム制御部５０は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２６】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２７】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定を実行可能なメニュー画面が表示部２８に表示される。ユーザは、表示部２８に表示されたメニュー画面と、上下左右の４方向キー（十字キー７４）やＳＥＴボタン７５などを用いて直感的に各種設定を行うことができる。
【００２８】
操作部７０は、ユーザからの操作を受け付ける入力部（受付手段）としての各種操作部材である。操作部７０には、少なくとも以下の操作部材が含まれる。シャッターボタン６１、メイン電子ダイヤル７１、電源スイッチ７２、サブ電子ダイヤル７３、十字キー７４、ＳＥＴボタン７５、再生ボタン７９。
【００２９】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３０】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインタフェースである。記録媒体２００は、撮影された画像を記録するためのメモリカード等の記録媒体であり、半導体メモリや磁気ディスク等から構成される。電源スイッチ７２は、デジタルカメラ１００の電源のＯＮとＯＦＦとを切り替えるためのスイッチである。
【００３１】
通信部５４は、無線又は有線ケーブルによって外部装置と接続し、映像信号や音声信号の送受信を行う。通信部５４は、無線ＬＡＮ（Ｌｏｃａｌ  Ａｒｅａ  Ｎｅｔｗｏｒｋ）やインターネットとも接続可能である。通信部５４は、撮像部２２で撮像した画像（スルー画像を含む）や、記録媒体２００に記録された画像を送信可能であり、また、外部装置から画像データやその他の各種情報を受信することができる。
【００３２】
姿勢検知部５５は、重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録したりすることが可能である。姿勢検知部５５としては、加速度センサやジャイロセンサなどを用いることができる。
【００３３】
デジタルカメラ１００は、操作部７０の一部として、表示部２８に対する接触を検知可能なタッチパネル７０ａ（図１（Ｂ）参照）を有する。タッチパネル７０ａと表示部２８とは、一体的に構成することができる。例えば、タッチパネル７０ａを光の透過率が表示部２８の表示を妨げないように構成し、表示部２８の表示面の上層に取り付ける。そして、タッチパネル７０ａにおける入力座標と、表示部２８上の表示座標とを対応付ける。これにより、恰もユーザが表示部２８上に表示された画面を直接的に操作可能であるかのようなＧＵＩ（グラフィカルユーザインターフェース）を構成することができる。システム制御部５０は、タッチパネル７０ａへの以下の操作、あるいは状態を検出できる。
・タッチパネル７０ａにタッチしていなかった指やペンが新たにタッチパネル７０ａにタッチしたこと。即ち、タッチの開始（以下、タッチダウン（Ｔｏｕｃｈ−Ｄｏｗｎ）と称する）。
・タッチパネル７０ａを指やペンでタッチしている状態であること（以下、タッチオン（Ｔｏｕｃｈ−Ｏｎ）と称する）。
・タッチパネル７０ａを指やペンでタッチしたまま移動していること（以下、タッチムーブ（Ｔｏｕｃｈ−Ｍｏｖｅ）と称する）。
・タッチパネル７０ａへタッチしていた指やペンを離したこと。即ち、タッチの終了（以下、タッチアップ（Ｔｏｕｃｈ−Ｕｐ）と称する）。
・タッチパネル７０ａに何もタッチしていない状態（以下、タッチオフ（Ｔｏｕｃｈ−Ｏｆｆ）と称する）。
【００３４】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００３５】
これらの操作・状態や、タッチパネル７０ａ上に指やペンがタッチしている位置座標は、内部バスを通じてシステム制御部５０に通知される。システム制御部５０は、通知された情報に基づいてタッチパネル７０ａ上にどのような操作が行われたかを判定する。タッチムーブについてはタッチパネル７０ａ上で移動する指やペンの移動方向についても、位置座標の変化に基づいて、タッチパネル７０ａ上の垂直成分・水平成分毎に判定できる。またタッチパネル７０ａ上をタッチダウンから一定のタッチムーブを経てタッチアップをしたとき、ストロークを描いたこととする。素早くストロークを描く操作をフリックと呼ぶ。フリックは、タッチパネル７０ａ上に指をタッチしたままある程度の距離だけ素早く動かして、そのまま離すといった操作であり、言い換えればタッチパネル７０ａ上を指ではじくように素早くなぞる操作である。所定距離以上を、所定速度以上でタッチムーブしたことが検出され、そのままタッチアップが検出されるとフリックが行われたと判定できる。また、所定距離以上を、所定速度未満でタッチムーブしたことが検出された場合はドラッグが行われたと判定するものとする。タッチパネル７０ａは、抵抗膜方式や静電容量方式、表面弾性波方式、赤外線方式、電磁誘導方式、画像認識方式、光センサ方式等、様々な方式のタッチパネルのうちいずれの方式のものを用いてもよい。方式によって、タッチパネルに対する接触があったことでタッチがあったと検出する方式や、タッチパネルに対する指やペンの接近があったことでタッチがあったと検出する方式のものがあるが、いずれの方式でもよい。
【００３６】
以下、図３を参照して、デジタルカメラ１００が実行する露出調整処理について説明する。本フローチャートの各ステップの処理は、特に断らない限り、システム制御部５０が不揮発性メモリ５６に格納されたプログラムをシステムメモリ５２に展開して実行することにより実現される。本フローチャートの処理は、デジタルカメラ１００が露出調整モードに設定されると開始する。
【００３７】
なお、露出調整モードとは、デジタルカメラ１００の動作モードのうちの１つである。露出調整モードにおいて、ユーザは、シャッター速度、絞り値、ＩＳＯ感度を特定の値に設定することも可能であるし、シャッター速度、絞り数値、ＩＳＯ感度の一部又は全部を「Ａｕｔｏ」に設定することも可能である。「Ａｕｔｏ」とは、実際の値が測光結果に基づいて自動的に設定されることを示す設定値を示す。
【００３８】
Ｓ３０１で、システム制御部５０は、露出調整モード用の露出パラメータ（露出制御に関する設定項目）の設定値を不揮発性メモリ５６から取得し、システムメモリ５２に格納する。以下の説明において、露出パラメータは、シャッター速度、絞り値、及びＩＳＯ感度を含むものとするが、本実施形態の露出パラメータはこれに限定されない。露出パラメータの取得後、デジタルカメラ１００は、撮影待機状態になる。撮影待機状態において、システム制御部５０は、例えば図５（Ａ）に示すような表示画面を表示部２８に表示する。図５（Ａ）の例は、シャッター速度、絞り値、及びＩＳＯ感度の全てがＡｕｔｏに設定されている場合に対応する。
【００３９】
Ｓ３０２で、システム制御部５０は、露出を固定する指示（ＡＥロック指示）が行われたか否かを判断する。ＡＥロック指示が行われた場合、処理はＳ３０２に進み、そうでない場合、処理はＳ３１０Ａに進む。
【００４０】
Ｓ３０３で、システム制御部５０は、測光を行う。Ｓ３０４で、システム制御部５０は、測光結果に基づき、Ａｕｔｏに設定されている露出パラメータについて、現在の撮影条件下で適正露出を達成するための値を決定する。以下の説明においては、測光結果に基づいて決定される露出パラメータの値のことを、不揮発性メモリ５６から取得された設定値と区別するために、露出パラメータの「制御値」と呼ぶ。システム制御部５０は、決定した制御値をシステムメモリ５２に格納する。これにより、現在の撮影条件下で適正露出が達成されるように露出を設定することができる。Ｓ３０４の処理の結果、表示部２８の表示画面は、例えば図５（Ａ）から図５（Ｂ）に変化する。図５（Ｂ）の例では、シャッター速度、絞り値、ＩＳＯ感度の制御値が、それぞれ１／１０００秒、２．０、４００に決定されている（シャッター速度に対応する「１０００」という表示は、１／１０００秒を意味する）。なお、シャッター速度、絞り値、ＩＳＯ感度のうち、一部がＡｕｔｏに設定されている場合には、設定値がマニュアルで設定されている設定値に基づいて適正露出になるようにＡｕｔｏに設定されている露出パラメータ（項目）の設定値（制御値）が算出される。つまり、シャッター速度がＡｕｔｏ、絞り値がユーザにより設定されている場合には、Ａｖモード（絞り値優先モード）に対応しており、設定されていた絞り値において適正露出となるようシャッター速度が設定される。このように、露出調整モードにおいては、各露出パラメータの設定をＡｕｔｏにしたり、ユーザが設定値を設定したりすることで、ＡｖモードやＴｖモードに対応する露出調整を１つのモード内において行うことができる。
【００４１】
Ｓ３０５Ａで、システム制御部５０は、選択する露出パラメータを変更する操作がされたか否かを判定する。選択する露出パラメータの変更はサブ電子ダイヤル７３への回転操作に応じて行うことができる。Ｓ３０５Ａの操作がされない場合には、Ｓ３０２のＡＥロックの指示がされた際に選択されていた露出パラメータが選択された状態となっており、次のＳ３０５Ｂの処理においては、選択されている露出パラメータの値が変更される。なお、デジタルカメラ１００の電源が入った際の初期選択露出パラメータはシャッター速度としてもよい。
【００４２】
Ｓ３０５Ｂで、システム制御部５０は、選択中の露出パラメータ（シャッター速度、絞り数値、又はＩＳＯ感度）の値（制御値、設定値）を変更する操作が行われたか否かを判定する。選択中の露出パラメータの値の変更はメイン電子ダイヤル７１への回転操作によって行うことができる。メイン電子ダイヤル７１への所定量（１メモリ）の操作に応じて設定値が１段階変更される。変更操作が行われた場合、処理はＳ３０６に進み、そうでない場合、処理はＳ３０８に進む。なお、ＡＥロック中に露出パラメータにＡｕｔｏと設定してもすぐに測光結果に応じて制御値が設定される。
【００４３】
Ｓ３０６で、システム制御部５０は、Ｓ３０５Ｂにおける変更操作対象のシステムメモリ５２に格納されている露出パラメータの制御値、もしくはもともと記録されていた設定値を変更し、設定値としてシステムメモリ５２に格納する。また、Ｓ３０６においては、表示部２８に表示する変更操作の行われた露出パラメータの設定値を変更する。Ｓ３０５Ｂにおいて設定値の変更された露出パラメータが測光時にＡｕｔｏに設定されており、制御値を有していた場合には、測光により算出された制御値からユーザの操作量に応じて値が変わる。つまり、絞り値がＡｕｔｏに設定されていた場合に、測光により２．０と算出された後、ユーザにより設定値を変更する操作がされた場合には、２．０から操作量に応じて絞り値が変わる。また、もともと測光時にＡｕｔｏではなく、ユーザ操作により設定値が設定されていた露出パラメータの設定変更をＳ３０５Ｂにおいて行った場合には、システムメモリ５２に格納される設定値が変更される。
例えば、Ｓ３０５Ｂにおいてシャッター速度を１／１０００秒から１／８００秒に変更する操作が行われた場合、表示部２８の表示画面は、図５（Ｂ）から図５（Ｃ）に変化する。
【００４４】
Ｓ３０７で、システム制御部５０は、制御値の設定されている露出パラメータの制御値を、設定値としてシステムメモリ５２に格納する。Ｓ３０７の処理は、Ｓ３０５Ｂにおいて値の変更されなかった露出パラメータのうち、制御値の設定されている露出パラメータに対して実行される。すなわち、Ｓ３０５Ｂの処理において、いずれかの露出パラメータの値が変更されると、測光時にＡｕｔｏであり制御値が設定されていた露出パラメータが設定値として記録される。言い換えると、ユーザがＡＥロック中に露出パラメータを変更する操作をした場合には、全ての露出パラメータが設定値として記録されるようになる。ユーザが測光後に露出パラメータの値を変更する操作をしたので、ユーザは算出された適正露出の値をベースに露出パラメータの設定変更を行いたい可能性がある。そこで、Ａｕｔｏとして設定されていた露出パラメータであっても、適正露出としてデジタルカメラ１００側に算出された値で記録し、ユーザに設定値変更されない限りは、ＡＥロック解除後もＡｕｔｏに戻らず設定値が保持されるようにする。ユーザは、例えば、Ａｖ、Ｔｖ、ＩＳＯ感度を全てＡｕｔｏにし、ＡＥロック指示により全ての露出パラメータを適正露出に設定した後に、絞り値を少し変えてぼけ方を変えることができる。これにより、ユーザは１つ１つ設定値を所望の値まで設定する操作をせずに、適正露出まで一手で設定した後に、適正露出の値から値を設定変更すればよいので少ない操作量で素早く設定をすることができる。さらに、ＡＥロック中にいずれかの露出パラメータの設定値（制御値）の変更がされると、その他の露出パラメータの制御値も設定値として記録されるので、ユーザは所望の露出パラメータの設定を保持することができる。シャッター速度、絞り値が共にＡｕｔｏであり、ＡＥロック中にシャッター速度の値が変更された後、ＡＥロック解除後に絞り値がＡｕｔｏに戻ってしまうと、適正露出においてユーザが調整した、シャッター速度、絞り値の関係が崩れてしまう。一方で、Ｓ３０７のように、適正露出の値からユーザがシャッター速度を調整したことに応じて絞り値をＡｕｔｏにせず、設定値として記録するようにすると、ＡＥロック中にユーザの調整した露出設定を保持することができる。
【００４５】
Ｓ３０８で、システム制御部５０は、ＡＥロックを解除するか否かを判定する。例えば、ユーザによるＡＥロック解除指示が行われた場合や、Ｓ３０２のＡＥロック指示から所定時間が経過した場合などに、システム制御部５０はＡＥロックを解除すると判定する。ＡＥロックを解除する場合、処理はＳ３０９に進み、そうでない場合、処理はＳ３０５Ａに進む。
【００４６】
Ｓ３０９で、システム制御部５０は、露出パラメータの制御値をシステムメモリ５２から削除する。制御値は、Ｓ３０３の測光結果に基づいて決定されたものなので、ＡＥロックが解除されたことに応じてシステムメモリ５２から削除する。従って、次に測光が行われた場合、露出パラメータのうち設定値が「Ａｕｔｏ」であるものについては、再び測光結果に基づいて新たな制御値が決定される。例えば、表示部２８の表示画面が図５（Ａ）の状態でＳ３０３の測光が行われて図５（Ｂ）の状態に遷移し、その後、露出パラメータの変更操作（Ｓ３０５Ｂ）が行われることなくＡＥロックが解除された場合を考える。この場合、Ｓ３０９における制御値の削除の結果、表示部２８の表示画面は、図５（Ｂ）から図５（Ａ）に戻る。一方、表示部２８の表示画面が図５（Ｂ）の状態に遷移した後に露出パラメータの変更操作（Ｓ３０５Ｂ）が行われて図５（Ｃ）の状態に遷移した場合、全ての露出パラメータは、Ａｕｔｏ以外の設定値を持つ。従って、Ｓ３０９の処理後も、表示部２８の表示画面は図５（Ａ）の状態に戻らず、図５（Ｃ）の状態のままである。
【００４７】
Ｓ３１０Ａで、システム制御部５０は、Ｓ３０５Ａと同様に、選択する露出パラメータを変更する操作がされたか否かを判定する。選択する露出パラメータの変更はサブ電子ダイヤル７３への回転操作に応じて行うことができる。Ｓ３１０Ａの操作がされない場合には、Ｓ３０２のＡＥロックの指示がされた際に選択されていた露出パラメータが選択された状態となっており、次のＳ３１０Ｂの処理においては、選択されている露出パラメータの値が変更される。なお、デジタルカメラ１００の電源が入った際の初期選択露出パラメータはシャッター速度としてもよい。
【００４８】
Ｓ３１０Ｂで、システム制御部５０は、各種設定値の変更操作が行われたか否かを判定する。各種設定値には、露出パラメータの設定値や、撮影待機状態において変更可能なその他の設定値などが含まれる。各種設定値の変更操作が行われた場合、処理はＳ３１１に進み、そうでない場合、処理はＳ３１２に進む。ＡＥロック中でない場合には、測光に応じて適正露出となるように制御値が設定されるＡｕｔｏや、Ａｕｔｏ以外の設定値を設定可能である。
【００４９】
Ｓ３１１で、システム制御部５０は、Ｓ３１０Ｂにおける変更操作対象の設定値を更新し、システムメモリ５２に格納する。その後、処理はＳ３０２に戻る。
【００５０】
Ｓ３１２で、システム制御部５０は、撮影操作が行われたか否かを判断する。撮影操作が行われた場合、処理はＳ３１３に進み、そうでない場合、処理はＳ３１６に進む。
【００５１】
Ｓ３１３及びＳ３１４で、システム制御部５０は、Ｓ３０３及びＳ３０４と同様に、測光、及びＡｕｔｏに設定されている露出パラメータについての制御値の決定及び格納を行う。
【００５２】
Ｓ３１５で、システム制御部５０は、撮影を行う。Ｓ３１５においては撮像部２２で撮像した画像を記録媒体２００へ記録する。システム制御部５０は、撮影処理として、前述した第１シャッタースイッチ６２がＯＮになった場合の処理、及び第２シャッタースイッチ６４がＯＮになった場合の処理を順次行う。
【００５３】
Ｓ３１６で、システム制御部５０は、モード切替スイッチ６０の操作により動作モードの切替操作が行われたか否かを判断する。切替操作が行われていない場合、処理はＳ３０２に戻る。切替操作が行われた場合、本フローチャートの処理は終了する。即ち、露出調整モードにおける露出調整処理が終了する。
【００５４】
なお、上の説明では、設定項目の例として露出パラメータ（露出制御に関する設定項目）を採用し、ＡＥロック指示に応じてＡｕｔｏの設定値を持つ露出パラメータに対して設定値が自動的に設定されるものとした。しかしながら、本実施形態において、設定項目は露出パラメータに限定されず、Ａｕｔｏに設定された設定項目の設定値を自動的に設定するトリガーはＡＥロック指示に限定されない。本実施形態は、所定の動作モードでの動作が開始したことに応じてＡｕｔｏに設定された設定項目の設定値が自動的に設定される任意の構成に対して適用可能である。例えば、設定項目は、オートフォーカスの測距点に関する設定項目であってもよいし、オートホワイトバランスに関する設定項目であってもよい。
【００５５】
また、上の説明では、設定値と制御値とを区別することにより、Ａｕｔｏに設定された露出パラメータがＡＥロック解除（所定の動作モードでの動作の終了）に応じてＡｕｔｏに戻ることを可能にする構成について説明した。しかし、具体的な実装に関しては特に限定されず、例えば、ＡＥロックの開始前にＡｕｔｏに設定されていた露出パラメータにはフラグを立てる等をしてもよく、設定値と制御値とを厳密に区別する必要はない。Ａｕｔｏに設定された露出パラメータに対して測光結果に基づいて具体的な値が自動設定され、ＡＥロック中に変更操作が行われていない場合にＡＥロック解除後にこの露出パラメータがＡｕｔｏに戻る構成であれば、任意の構成を採用可能である。
【００５６】
なお、Ｓ３０２のＡＥロックの指示をした際に、Ａｕｔｏに設定されていた設定項目については、Ｓ３０８におけるＡＥロック解除の後、設定値が設定されていたとしても、所定時間経過後にＡｕｔｏに戻すようにしてもよい。つまり、ＡＥロック中に他の設定項目の設定値が変更されたことにより、Ａｕｔｏから適正露出の値（制御値）を設定値として設定された設定項目は、ＡＥロック解除に応じてはＡｕｔｏにならないが、所定時間経過後にＡｕｔｏにする。これにより、ＡＥロック後、例えば１０秒や１５秒といったしばらくの間は、設定した値のまま（固定で）撮影を継続することができる。さらに、時間経過に応じて再びＡｕｔｏになるので、時間が経過し撮影環境が変わった際には、ＡＥロック指示で適正露出の設定となる。
【００５７】
また、各露出パラメータの値をＡｕｔｏに設定する手段があってもよい。例えば、選択中の露出パラメータをＡｕｔｏに設定するボタンと、全ての露出パラメータをＡｕｔｏにするボタンとがあってもよい。これにより、ユーザは、容易に各撮影の前に適正露出での値を設定（算出）するようにＡｕｔｏへと設定することができるので、撮影状況（露出状況）が変わってもすぐに所望の設定値へと設定することができる。具体的には、明るい場所で適正露出にした後、設定値を調整し、全ての露出パラメータを一手でＡｕｔｏにすることで、暗い場所でも適正露出にした後に、設定値を調整するという変更を容易に行うことができるようになる。
【００５８】
図３を参照して説明したようにシステム制御部５０が制御を行うことで、デジタルカメラ１００が決定した適正露出を達成する露出パラメータを出発点に、ユーザが露出パラメータを所望の値に変更して撮影することができる。従って、ユーザは、露出の微調整を素早く行うことができる。
【００５９】
なお、システム制御部５０は、Ｓ３０３又はＳ３１３の測光を単独で行い、得られた測光結果を制御値として保持し、制御値変更指示が発生したことで測光結果から直接制御値を得て更新し、撮影制御へ反映する機能を有している場合がある。この場合、測光開始によって機能が有効となる。そのため、システム制御部５０は、測光状態及び測光状態を一定時間継続する測光タイマー状態を終えると、測光及び制御値変更指示によって得られた制御値を破棄して、撮影待機時状態に戻るような機能を有している。このような機能は、第１の実施形態、及び後述する第２の実施形態において、併存することが可能である。
【００６０】
また、システム制御部５０は、Ｓ３０６において制御値を設定値として格納する際に、表示部２８に露出計を表示してもよい。露出計は、現在の設定値で撮影した場合に、適正露出からどの程度外れるかを示す。適正露出から外れすぎる場合には、システム制御部５０は、点滅表示などを行い、撮影画像が明るすぎ、又は暗すぎになり、撮影画像内の被写体が見えなくなる可能性がある注意を明示することができる。後述する第２の実施形態のＳ４０７でも、露出計表示を行ってもよい。
【００６１】
以上説明したように、第１の実施形態によれば、デジタルカメラ１００は、ＡＥロック指示に応じて、Ａｕｔｏに設定された露出パラメータに対して設定値を自動的に設定する。ここで、自動的に設定される値は設定値と区別可能な制御値であってもよいが、前述の通り、設定値と制御値とを厳密に区別する必要はない。デジタルカメラ１００は、ＡＥロック中（所定の動作モードでの動作中）に、ユーザ指示に応じて、いずれかの露出パラメータの設定値を変更する。ＡＥロック中にユーザ指示に応じた露出パラメータの変更が行われていない場合、デジタルカメラ１００は、ＡＥロック解除に応じて、ＡＥロック開始時にＡｕｔｏに設定されていた露出パラメータをＡｕｔｏの設定に戻す。これにより、複数の設定項目を設定する際の操作性が向上する。
【００６２】
［第２の実施形態］
次に、第２の実施形態に係る露出調整処理について説明する。第２の実施形態において、デジタルカメラ１００の基本的な構成は、第１の実施形態と同様である（図１及び図２参照）。以下、主に第１の実施形態と異なる点について説明する。
【００６３】
図４は、デジタルカメラ１００が実行する露出調整処理のフローチャートである。図４のＳ４０１ＡからＳ４０６の処理は、図３のＳ３０５ＡからＳ３０９を置き換える処理である。即ち、第２の実施形態において、図３のＳ３０１からＳ３０４及びＳ３１０ＡからＳ３１６については、第１の実施形態と同様の処理が行われる。図４のフローチャートの各ステップの処理は、特に断らない限り、システム制御部５０が不揮発性メモリ５６に格納されたプログラムをシステムメモリ５２に展開して実行することにより実現される。また、本フローチャートの処理は、デジタルカメラ１００が露出調整モードに設定されると開始する。
【００６４】
図３のＳ３０４の処理に続いて、Ｓ４０１Ａで、システム制御部５０は、選択する露出パラメータを変更する操作がされたか否かを判定する。選択する露出パラメータの変更はサブ電子ダイヤル７３への回転操作に応じて行うことができる。Ｓ４０１Ａの操作がされない場合には、Ｓ３０２のＡＥロックの指示がされた際に選択されていた露出パラメータが選択された状態となっており、次のＳ４０１Ｂの処理においては、選択されている露出パラメータの値が変更される。なお、デジタルカメラ１００の電源が入った際の初期選択露出パラメータはシャッター速度としてもよい。
【００６５】
Ｓ４０１Ｂで、システム制御部５０は、いずれかの露出パラメータ（シャッター速度、絞り数値、又はＩＳＯ感度）を変更する操作が行われたか否かを判定する。変更操作が行われた場合、処理はＳ４０２に進み、そうでない場合、処理はＳ４０５に進む。なお、本実施形態では、ユーザは、いずれかの露出パラメータをＡｕｔｏに変更する操作を行うことも可能である。
【００６６】
Ｓ４０２で、システム制御部５０は、Ｓ４０１Ｂにおける変更操作対象の露出パラメータの制御値、もしくはもともと記録されていた設定値を変更し、設定値としてシステムメモリ５２に格納する。
【００６７】
Ｓ４０３で、システム制御部５０は、Ａｕｔｏの設定値を持つ露出パラメータが存在するか否かを判定する。存在する場合、処理はＳ４０４に進み、存在しない場合、処理はＳ４０５に進む。
【００６８】
Ｓ４０４で、システム制御部５０は、露出が変化しないように（適正露出を維持するように）、Ａｕｔｏの設定値を持つ露出パラメータの制御値を更新する。例えば、Ｓ３０４の処理により表示部２８の表示画面が図５（Ａ）から図５（Ｂ）に変化し、Ｓ４０１Ｂにおいてシャッター速度を１／１０００秒から１／８００秒に変更する操作が行われ、表示画面が図５（Ｂ）から図５（Ｃ）に変化した場合を考える。この場合、シャッター速度の設定値は１／８００秒になるが、絞り値及びＩＳＯ感度の設定値はＡｕｔｏのままである。そのため、Ｓ４０４において、適正露出を維持するように、絞り値及びＩＳＯ感度の制御値を更新する処理が行われる。その結果、表示部２８の表示画面は、例えば図５（Ｄ）に示すように、絞り値が２．０から１．８に変化した状態になる。
【００６９】
Ｓ４０５で、システム制御部５０は、ＡＥロックを解除するか否かを判定する。例えば、ユーザによるＡＥロック解除指示が行われた場合や、Ｓ３０２のＡＥロック指示から所定時間が経過した場合などに、システム制御部５０はＡＥロックを解除すると判定する。ＡＥロックを解除する場合、処理はＳ４０６に進み、そうでない場合、処理はＳ４０１Ａに進む。
【００７０】
Ｓ４０６で、システム制御部５０は、ＡＥロック中に露出パラメータの変更操作が行われたか否かを判定する。ＡＥロック中に露出パラメータの変更操作が行われた場合、処理はＳ４０７に進み、そうでない場合、処理はＳ４０８に進む。
【００７１】
Ｓ４０７で、システム制御部５０は、システムメモリ５２に格納されている露出パラメータの制御値を、設定値としてシステムメモリ５２に格納する。これにより、全ての露出パラメータが、Ａｕｔｏ以外の設定値を持つようになる。例えば、Ｓ４０４において説明したように表示部２８の表示画面が図５（Ｄ）に示す状態になった場合、ＡＥロックの解除後も、図５（Ｄ）の状態が維持される。
【００７２】
Ｓ４０８で、システム制御部５０は、露出パラメータの制御値をシステムメモリ５２から削除する。制御値は、Ｓ３０３の測光結果に基づいて決定されたものなので、ＡＥロックが解除されたことに応じてシステムメモリ５２から削除する。従って、次に測光が行われた場合、露出パラメータのうち設定値が「Ａｕｔｏ」であるものについては、再び測光結果に基づいて新たな制御値が決定される。例えば、表示部２８の表示画面が図５（Ａ）の状態でＳ３０３の測光が行われて図５（Ｂ）の状態に遷移し、その後、露出パラメータの変更操作（Ｓ４０１Ｂ）が行われることなくＡＥロックが解除された場合を考える。この場合、Ｓ４０８における制御値の削除の結果、表示部２８の表示画面は、図５（Ｂ）から図５（Ａ）に戻る。
【００７３】
なお、Ｓ４０４における適正露出を維持するように露出パラメータの制御値を更新する処理において、システム制御部５０は、不揮発性メモリ５６から取得される制御情報に基づいて更新後の制御値を決定することができる。或いは、適正露出を維持するために更新する露出パラメータをシャッター速度、絞り数値、ＩＳＯ感度のいずれとするかをユーザが指定可能であってもよく、この場合、システム制御部５０は、ユーザによる指定に従って制御値を更新する。
【００７４】
図４を参照して説明したようにシステム制御部５０が制御を行うことで、デジタルカメラ１００が決定した適正露出を達成する露出パラメータを出発点に、ユーザが露出パラメータを所望の値に変更して撮影することができる。従って、ユーザは、露出の微調整を素早く行うことができる。特に、第２の実施形態では、Ｓ４０３及びＳ４０４の処理があるために、ユーザが特定の露出パラメータを微調整することを可能としつつ、適正露出を維持した制御値での撮影が可能となる。
【００７５】
以上説明したように、第２の実施形態では、ＡＥロック中にユーザ指示に応じた露出パラメータの変更が行われた場合、デジタルカメラ１００は、変更前後で露出が変化しないように、自動的に設定又は更新された露出パラメータの設定値を自動的に更新する。これにより、複数の設定項目を設定する際の操作性が向上する。
【００７６】
なお、システム制御部５０が行うものとして説明した上述の各種制御は、１つのハードウェアが行ってもよいし、複数のハードウェアが処理を分担することで、装置全体の制御を行ってもよい。
【００７７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７８】
また、上述した実施形態においては、本発明をデジタルカメラ１００に適用した場合を例にして説明したが、これはこの例に限定されず、複数の設定項目を有する電子機器であれば適用可能である。すなわち、本発明は、パーソナルコンピュータやＰＤＡ、携帯電話端末や携帯型の画像ビューワ、ディスプレイを備えるプリンタ装置、デジタルフォトフレーム、音楽プレーヤーなどに適用可能である。また、本発明は、ゲーム機、電子ブックリーダー、タブレット端末、スマートフォン、投影装置、ディスプレイを備える家電装置や車載装置などにも適用可能である。
【００７９】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８０】
１７…ＡＥセンサ、２２…撮像部、２８…表示部、５０…システム制御部、５２…システムメモリ、５６…不揮発性メモリ、７０…操作部、７４…十字キー、１００…デジタルカメラ、１０１…シャッター、１０２…絞り、１０３…レンズ、１５０…レンズユニット
【図１】
2019071507.tif 000003
【図２】
2019071507.tif 000004
【図３】
2019071507.tif 000005
【図４】
2019071507.tif 000006
【図５】
2019071507.tif 000007